(57)【要約】【課題】再発性のある病気の診療記録について利用性を確保しつつ、保管に要するデータ量を低減させる。【解決手段】診療記録管理装置１０は、患者を識別する患者ＩＤと、診療内容とをそれぞれ記録した１以上のレコードを記憶する診療情報記憶部１１と、再発性の有る病気についての再発間隔又は再発時期の少なくともいずれかの情報を記憶した病気情報記憶部１３と、診療情報記憶部１１に記憶されるレコードのうち、診察への利用が少なくとも一時的に完了したレコードであって、再発性の有る病気に対する診療内容が記録されたレコードの情報を圧縮する圧縮部１７と、圧縮部１７により情報が圧縮されたレコードに記録される診断内容に係る病気の治療完了の基準時から、該病気について病気情報記憶部１３に記憶される再発間隔又は再発時期の少なくともいずれかが経過する前に、該レコードについて圧縮された情報を解凍して復元する解凍部１９を備える。【選択図】図１
2014203284.tif 000002
【特許請求の範囲】
【請求項１】
患者を識別する患者識別情報と、該患者の病気に対する診療内容とをそれぞれ記録した１以上のレコードを記憶する診療情報記憶手段と、
再発性の有る病気についての再発間隔又は再発時期の少なくともいずれかの情報を記憶した病気情報記憶手段と、
前記診療情報記憶手段に記憶されるレコードのうち、診察への利用が少なくとも一時的に完了したレコードであって、再発性の有る病気に対する診療内容が記録されたレコードの情報を圧縮する圧縮手段と、
前記圧縮手段により情報が圧縮されたレコードに記録される診断内容に係る病気の治療完了の基準時から、該病気について前記病気情報記憶手段に記憶される再発間隔又は再発時期の少なくともいずれかが経過する前に、該レコードについて圧縮された情報を復元する復元手段と、を含む
ことを特徴とする診療記録管理システム。
【請求項２】
前記診療情報記憶手段に記憶されるレコードのうち、再発性を有さない病気に対する診療内容が記録されたレコードであって、該レコードに記録される診断内容に係る病気の利用完了の基準時から予め定められた期間以上経過したレコードを削除する削除手段と、をさらに含む
ことを特徴とする請求項１に記載の診療記録管理システム。
【請求項３】
前記診療情報記憶手段に記憶されるレコードに記録される患者識別情報と病気の組の繰り返しの有無に基づいて、該病気の再発性の有無を判定する第１判定手段と、
前記第１判定手段により再発性が有ると判定された病気についての出現間隔に基づいて、該病気の再発間隔を決定する第１決定手段と、
前記第１判定手段により再発性が有ると判定された病気について、前記第１決定手段により決定された再発間隔を関連付けて前記病気情報記憶手段に記憶させる手段と、をさらに含む
ことを特徴とする請求項１又は２に記載の診療記録管理システム。
【請求項４】
前記診療情報記憶手段に記憶されるレコードに記録される病気の発症の季節による偏りの有無に基づいて、該病気の再発性の有無を判定する第２判定手段と、
前記第２判定手段により再発性が有ると判定された病気についての発症が多い季節に基づいて、該病気の再発時期を決定する第２決定手段と、
前記第２判定手段により再発性が有ると判定された病気について、前記第２決定手段により決定された再発時期を関連付けて前記病気情報記憶手段に記憶させる手段と、をさらに含む
ことを特徴とする請求項１乃至３のいずれかに記載の診療記録管理システム。
【請求項５】
患者を識別する患者識別情報と、該患者の病気に対する診療内容とをそれぞれ記録した１以上のレコードを記憶する診療情報記憶手段と、
再発性の有る病気についての再発間隔又は再発時期の少なくともいずれかの情報を記憶した病気情報記憶手段と、にそれぞれ記憶された情報を利用可能なコンピュータを、
前記診療情報記憶手段に記憶されるレコードのうち、診察への利用が少なくとも一時的に完了したレコードであって、再発性の有る病気に対する診療内容が記録されたレコードの情報を圧縮する圧縮手段と、
前記圧縮手段により情報が圧縮されたレコードに記録される診断内容に係る病気の治療完了の基準時から、該病気について前記病気情報記憶手段に記憶される再発間隔又は再発時期の少なくともいずれかが経過する前に、該レコードについて圧縮された情報を復元する復元手段
として機能させるためのプログラム。
【発明の詳細な説明】
【技術分野】
【０００１】
本発明は、診療記録管理システム及びプログラムに関する。
【背景技術】
【０００２】
データを管理する上で、データの保管容量には限りがあるため、データの保管可能な容量が少なくなった場合には、例えば特許文献１に記載されているように、優先順の低いデータから順に削除したり、古いデータから順に削除したりして、新しいデータを保管するための容量を空けることがある。
【０００３】
診療記録を保管する場合には、病気によっては再発することがあるため、古いデータであるからといって削除すると、病気が再発したときに以前の診療記録が参照できなくなるという事態を招くことがある。
【先行技術文献】
【特許文献】
【０００４】
【特許文献１】特開２００２−１２３４１０号公報
【発明の概要】
【発明が解決しようとする課題】
【０００５】
本発明の目的は、再発性のある病気の診療記録について利用性を確保しつつ、保管に要するデータ量を低減させることができる診療記録管理システム及びプログラムを提供することにある。
【課題を解決するための手段】
【０００６】
請求項１に係る発明は、患者を識別する患者識別情報と、該患者の病気に対する診療内容とをそれぞれ記録した１以上のレコードを記憶する診療情報記憶手段と、再発性の有る病気についての再発間隔又は再発時期の少なくともいずれかの情報を記憶した病気情報記憶手段と、前記診療情報記憶手段に記憶されるレコードのうち、診察への利用が少なくとも一時的に完了したレコードであって、再発性の有る病気に対する診療内容が記録されたレコードの情報を圧縮する圧縮手段と、前記圧縮手段により情報が圧縮されたレコードに記録される診断内容に係る病気の治療完了の基準時から、該病気について前記病気情報記憶手段に記憶される再発間隔又は再発時期の少なくともいずれかが経過する前に、該レコードについて圧縮された情報を復元する復元手段と、を含むことを特徴とする診療記録管理システムである。
【０００７】
請求項２に係る発明は、前記診療情報記憶手段に記憶されるレコードのうち、再発性を有さない病気に対する診療内容が記録されたレコードであって、該レコードに記録される診断内容に係る病気の利用完了の基準時から予め定められた期間以上経過したレコードを削除する削除手段と、をさらに含むことを特徴とする請求項１に記載の診療記録管理システムである。
【０００８】
請求項３に係る発明は、前記診療情報記憶手段に記憶されるレコードに記録される患者識別情報と病気の組の繰り返しの有無に基づいて、該病気の再発性の有無を判定する第１判定手段と、前記第１判定手段により再発性が有ると判定された病気についての出現間隔に基づいて、該病気の再発間隔を決定する第１決定手段と、前記第１判定手段により再発性が有ると判定された病気について、前記第１決定手段により決定された再発間隔を関連付けて前記病気情報記憶手段に記憶させる手段と、をさらに含むことを特徴とする請求項１又は２に記載の診療記録管理システムである。
【０００９】
請求項４に係る発明は、前記診療情報記憶手段に記憶されるレコードに記録される病気の発症の季節による偏りの有無に基づいて、該病気の再発性の有無を判定する第２判定手段と、前記第２判定手段により再発性が有ると判定された病気についての発症が多い季節に基づいて、該病気の再発時期を決定する第２決定手段と、前記第２判定手段により再発性が有ると判定された病気について、前記第２決定手段により決定された再発時期を関連付けて前記病気情報記憶手段に記憶させる手段と、をさらに含むことを特徴とする請求項１乃至３のいずれかに記載の診療記録管理システムである。
【００１０】
請求項５に係る発明は、患者を識別する患者識別情報と、該患者の病気に対する診療内容とをそれぞれ記録した１以上のレコードを記憶する診療情報記憶手段と、再発性の有る病気についての再発間隔又は再発時期の少なくともいずれかの情報を記憶した病気情報記憶手段と、にそれぞれ記憶された情報を利用可能なコンピュータを、前記診療情報記憶手段に記憶されるレコードのうち、診察への利用が少なくとも一時的に完了したレコードであって、再発性の有る病気に対する診療内容が記録されたレコードの情報を圧縮する圧縮手段と、前記圧縮手段により情報が圧縮されたレコードに記録される診断内容に係る病気の治療完了の基準時から、該病気について前記病気情報記憶手段に記憶される再発間隔又は再発時期の少なくともいずれかが経過する前に、該レコードについて圧縮された情報を復元する復元手段として機能させるためのプログラムである。
【発明の効果】
【００１１】
請求項１及び５に記載の発明によれば、再発性のある病気の診療記録について利用性を確保しつつ、保管に要するデータ量を低減させることができる。
【００１２】
請求項２に記載の発明によれば、再発しない病気の診療記録については削除することで保管に要するデータ量を低減させることができる。
【００１３】
請求項３に記載の発明によれば、診療記録から再発性のある病気とその再発間隔を得ることができる。
【００１４】
請求項４に記載の発明によれば、診療記録から再発性のある病気とその再発時期を得ることができる。
【図面の簡単な説明】
【００１５】
【図１】本実施形態に係る診療記録管理装置の機能ブロック図である。
【図２】診療記録テーブルの一例を示す図である。
【図３】圧縮情報テーブルの一例を示す図である。
【図４】病気情報テーブルの一例を示す図である。
【図５】来院記録テーブルの一例を示す図である。
【図６】レコードの圧縮・削除処理のフローチャートである。
【図７】レコードの解凍（復元）処理のフローチャートである。
【図８】病気の再発性解析処理のフローチャートである。
【発明を実施するための形態】
【００１６】
以下、本発明を実施するための実施の形態（以下、実施形態という）を、図面に従って説明する。
【００１７】
［１．診療記録管理装置１０に備えられた機能の説明］
図１には、本実施形態に係る診療記録管理装置１０の機能ブロック図を示した。図１に示されるように、診療記録管理装置１０は、診療情報記憶部１１、圧縮情報記憶部１２、病気情報記憶部１３、診療情報管理部１４、削除判定部１５、圧縮判定部１６、圧縮部１７、解凍判定部１８、解凍部１９、再発性解析部２０を備える。
【００１８】
診療記録管理装置１０に備えられる上記の各部の機能は、ＣＰＵ等の制御手段、メモリ等の記憶手段、外部デバイスとデータを送受信する入出力手段等を備えたコンピュータが、コンピュータ読み取り可能な情報記憶媒体に格納されたプログラムを読み込み実行することで実現されるものとしてよい。なお、プログラムは光ディスク、磁気ディスク、磁気テープ、光磁気ディスク、フラッシュメモリ等の情報記憶媒体によってコンピュータたる診療記録管理装置１０に供給されることとしてもよいし、インターネット等のデータ通信網を介して診療記録管理装置１０に供給されることとしてもよい。
【００１９】
診療情報記憶部１１は、患者ごとの診療内容を記録した１以上のレコードを含む診療記録テーブルを記憶したデータベースである。
【００２０】
図２には、診療情報記憶部１１に記憶される診療記録テーブルの一例を示した。図２に示されるように、診療記録テーブルには、診療記録の１つのレコードを識別する診療記録ＩＤ、患者を識別する患者ＩＤ、患者の診察に係る診療科を識別する診療科ＩＤ、患者の罹患した病気を識別する病気ＩＤ、診療が行われた診療日、患者の病気についての診療が完了したか否かを示す完了フラグ、診療が完了した診療完了日、診療の内容を記述したテキストを含む診療内容がそれぞれ関連付けられたレコードが記録されている。ここで、診療記録テーブルに記録されるレコードには、少なくとも診療内容のデータが圧縮されたレコードが含まれる。
【００２１】
圧縮情報記憶部１２は、診療情報記憶部１１に記憶される診療記録テーブルに含まれるレコードのうち、圧縮して記録されたレコードの情報を記憶したデータベースである。
【００２２】
図３には、圧縮情報記憶部１２に記憶される圧縮情報テーブルの一例を示した。図３に示されるように、圧縮情報テーブルには、圧縮されたレコードを識別する診療記録ＩＤ、圧縮されたレコードに含まれる病気ＩＤ、圧縮されたレコードに記録される病気の診療完了日、レコードのデータ圧縮日の情報が関連付けられたレコードが記録されている。
【００２３】
病気情報記憶部１３は、それぞれの病気の情報を記録した１以上のレコードを含む病気情報テーブルを記憶したデータベースである。
【００２４】
図４には、病気情報記憶部１３に記憶される病気情報テーブルの一例を示した。図４に示されるように、病気情報テーブルには、病気を識別する病気ＩＤ、病名、再発性の有無を示す再発性フラグ、再発間隔、再発時期（発症季節）の情報が関連付けられたレコードが記録されている。例えば、病気に再発性が有る場合には再発性フラグにＴ（真）を、病気に再発性が無い場合には再発性フラグにＦ（偽）を格納することとしてよい。また、再発性フラグがＴ（真）の場合にのみ、再発間隔と再発時期の少なくともいずれかの情報が格納される。
【００２５】
診療情報管理部１４は、診療情報記憶部１１と圧縮情報記憶部１２にそれぞれ記憶される情報を管理する。例えば、診療情報管理部１４は、診療記録テーブルに記録されるレコードのうち、以下の削除判定部１５により削除すると判定されたレコードについては削除し、以下の圧縮判定部１６により圧縮すると判定されたレコードについては圧縮部１７によりデータ圧縮されたレコード（圧縮レコード）に更新し、以下の解凍判定部１８により解凍すると判定された圧縮レコードについては解凍部１９により圧縮レコードを元のレコードに復元（解凍）する。
【００２６】
また、診療情報管理部１４は、診療情報記憶部１１に記憶された情報（診療記録テーブルや患者の来院記録テーブル等）に基づいて、診療記録テーブルの情報を更新するようにしてもよい。例えば、診療情報管理部１４は、診療記録テーブルに含まれるレコードの完了フラグにＴ（真：すなわち完了）が格納された場合に、完了フラグにＴが格納されたレコードと、患者ＩＤ、診療科ＩＤが共通し、且つ完了フラグがＦ（偽：すなわち未完了）のレコードを診療記録テーブルから検索し、検索されたレコードの完了フラグをＴ（真）に更新するとともに、各レコードの診療完了日に、最初に完了フラグにＴ（真）が書き込まれたレコードの診療日の情報を書き込むこととしてよい。
【００２７】
ここで、診療が完了したか否かを、図３に示した診療記録テーブルと、図５に示した来院記録テーブルに基づき判断する場合の処理例について説明する。
【００２８】
図５に示した来院記録テーブルは、患者ごとの来院の記録を格納したデータの一例である。図５に示されるように、来院記録テーブルには、患者ＩＤ、診療科ＩＤ、来院日、次回来院予定日の情報が関連付けられたレコードが記憶される。なお、来院記録テーブルは、診療情報記憶部１１に記憶されることとしてもよいし、他のデータベースサーバに記憶されることとしてもよい。
【００２９】
そして、診療情報管理部１４は、来院記録テーブルのうち、次回来院予定日に情報が格納されていないレコードであって、且つ、該レコードの来院日以降に患者ＩＤと診療科ＩＤの組が同じレコードが次に出現しないか、次に出現するまでの期間が閾値（例えば５年）以上離れているレコード（診療完了レコード）を検索する。そして、診療情報管理部１４は、診療記録テーブルにおいて完了フラグがＦ（偽）のレコードの中から、上記検索された診療完了レコードの患者ＩＤと診療科ＩＤが共通するレコードであって、診療日が診療完了レコードの来院日と一致する（又は予め定められた日数しか違わない）レコードを特定し、該特定したレコードの完了フラグにＴ（真）を書き込むこととしてよい。
【００３０】
また、診療情報管理部１４は、入力デバイス又はクライアント装置等から受け付けた情報に基づいて、診療記録テーブルにレコードを追加したり、診療記録テーブルに記録されたレコードの情報を更新したりしてもよい。
【００３１】
削除判定部１５は、診療情報記憶部１１に記憶される診療記録テーブルの各レコードが削除条件を満たすか否かを判定する。例えば、削除判定部１５は、診療記録テーブルのレコードのうち、該レコードの診療が完了しており、該レコードの病気（病気ＩＤ）には再発性が無く、且つ、該レコードの診療完了日から予め定められた期間（例えば５年）経過しているレコードについては削除すると判定し、それ以外のレコードについては削除しないと判定することとしてよい。
【００３２】
圧縮判定部１６は、診療情報記憶部１１に記憶される診療記録テーブルの各レコードが圧縮条件を満たすか否かを判定する。例えば、圧縮判定部１６は、診療記録テーブルのレコードのうち、該レコードに係る病気の診療が完了しており、該レコードに係る病気（病気ＩＤ）には再発性が有るレコードについては圧縮すると判定し、それ以外のレコードについては圧縮しないと判定することとしてよい。また、圧縮判定部１６は、診療記録テーブルのレコードのうち、該レコードに係る病気の診療が完了しており、該レコードに係る病気（病気ＩＤ）には再発性が有り、最終アクセス日から予め定められた日数経過しているレコードについて圧縮すると判定することとしてもよい。なお、レコードに係る病気の診療が完了しているか否かは、該レコードの完了フラグの値を参照して判定してよく、レコードに係る病気に再発性があるか否かは、該病気の病気ＩＤに対する病気情報テーブルにおける再発性フラグの値を参照して判定することとしてよい。
【００３３】
圧縮部１７は、圧縮判定部１６により圧縮すると判定されたレコード（圧縮対象レコード）の少なくとも一部のデータをデータ量が低減される形態に圧縮する。例えば、圧縮部１７は、圧縮対象レコードのうち少なくとも診療内容のデータを圧縮することとしてよい。
【００３４】
診療情報管理部１４は、圧縮部１７により圧縮されたデータで、圧縮対象レコードを更新するとともに、圧縮対象レコードについての情報を圧縮情報テーブルに登録する。例えば、診療情報管理部１４は、圧縮対象レコードの診療記録ＩＤ、病気ＩＤ、診療完了日、データ圧縮日を関連付けたレコードを圧縮情報テーブルに登録することとしてよい。
【００３５】
解凍判定部１８は、圧縮情報記憶部１２に記憶される圧縮情報テーブルの各レコードが解凍条件を満たすか否かを判定する。例えば、解凍判定部１８は、圧縮情報テーブルのレコードのうち、該レコードの診療完了日から、該レコードの病気ＩＤに対して病気情報テーブルにおいて関連付けられる再発間隔又は再発時期の少なくともいずれかが経過する再発予測時期までの残り日数（期間）が閾値以内であるレコードについては解凍すると判定し、それ以外のレコードについては解凍しないと判定することとしてよい。
【００３６】
解凍部１９は、解凍判定部１８により解凍すると判定されたレコード（解凍対象レコード）の診療記録ＩＤに基づき、診療記録テーブルにおける対象のレコードを特定し、特定したレコードで圧縮されているデータを元の形式に解凍（復元）する。
【００３７】
再発性解析部２０は、診療情報記憶部１１に記憶される診療記録テーブルの情報に基づいて、病気の再発性を解析する。例えば、再発性解析部２０は、診療記録テーブルにおいて、患者ＩＤと病気ＩＤの組が予め定められた回数以上繰り返されている場合には、その病気ＩＤには再発性があると判定することとしてよい。この場合に、再発性解析部２０は、患者ＩＤと病気ＩＤの組が繰り返される時間間隔の例えば平均値を、その病気ＩＤの再発間隔として算出し、病気ＩＤと再発間隔の情報を病気情報テーブルに格納することとしてよい。
【００３８】
また、再発性解析部２０は、診療情報記録テーブルにおける病気の発症時期の頻度分布を作成し、季節（時期）によって発症頻度に偏りが有る場合には、その病気には再発性が有ると判定することとしてよい。この場合には、再発性解析部２０は、その病気の発症頻度が多い季節を、その病気の発症時期（発症季節）として、病気ＩＤと再発時期の情報を病気情報テーブルに格納することとしてよい。
【００３９】
［２．診療記録管理装置１０により実行される処理の説明］
次に、診療記録管理装置１０により行われる処理の詳細を、図６〜８に示したフローチャートを参照しながら説明する。
【００４０】
［２−１．レコードの圧縮・削除処理］
まず、図６を参照しながら、診療記録管理装置１０により行われる診療記録テーブルに含まれるレコードの圧縮・削除処理の一例について説明する。
【００４１】
図６に示されるように、診療記録管理装置１０は、レコードＲ１〜ＲＮを格納した診療記録テーブルを参照し（Ｓ１０１）、変数ｉを１に初期化する（Ｓ１０２）。
【００４２】
次に、診療記録管理装置１０は、レコードＲｉの情報を参照し（Ｓ１０３）、レコードＲｉが利用状態にあるか否かを判定する（Ｓ１０４）。例えば、診療記録管理装置１０は、レコードＲｉの完了フラグがＴ（真）で、且つ、レコードＲｉの最終アクセス日から予め定められた日数経過している場合には、レコードＲｉは利用状態になく、それ以外の場合には利用状態にあると判定することとしてよい。
【００４３】
診療記録管理装置１０は、レコードＲｉが利用状態にない場合であって（Ｓ１０４：Ｎ）、レコードＲｉの病気（病気ＩＤ）が再発性であるときには（Ｓ１０５：Ｙ）、レコードＲｉのデータ量を圧縮し（Ｓ１０６）、圧縮したレコードＲｉの情報を圧縮情報テーブルに登録する（Ｓ１０７）。
【００４４】
また、診療記録管理装置１０は、Ｓ１０５で、レコードＲｉの病気（病気ＩＤ）が再発性でない場合であって（Ｓ１０５：Ｎ）、レコードＲｉの治療完了日からＹ年（例えば５年）経過しているときには（Ｓ１０８：Ｙ）、レコードＲｉを削除する（Ｓ１０９）。
【００４５】
診療記録管理装置１０は、Ｓ１０４でレコードＲｉが利用状態にある場合（Ｓ１０４：Ｙ）、Ｓ１０７の後、Ｓ１０９の後、又はＳ１０８でレコードＲｉの治療完了日からＹ年（例えば５年）経過していない場合には（Ｓ１０８：Ｎ）、Ｓ１１０に進む。ここで、診療記録管理装置１０は、変数ｉがＮに達していない場合には（Ｓ１１０：Ｎ）、変数ｉをインクリメント（１加算）して（Ｓ１１１）、Ｓ１０３に戻り、変数ｉがＮに達している場合には（Ｓ１１０：Ｙ）、処理を終了する。
【００４６】
以上説明したレコードの圧縮・削除の処理は予め定められたイベントが発生した場合や、予め定められた時間間隔おきに実行することとしてよい。
【００４７】
［２−２．レコードの解凍（復元）処理］
次に、図７を参照しながら、診療記録管理装置１０により行われる圧縮されたレコードの解凍（復元）処理の一例について説明する。
【００４８】
図７に示されるように、診療記録管理装置１０は、レコードＣ１〜ＣＭを格納した圧縮情報テーブルを参照し（Ｓ２０１）、変数ｉを１に初期化する（Ｓ２０２）。
【００４９】
次に、診療記録管理装置１０は、レコードＣｉの情報を参照し（Ｓ２０３）、Ｃｉの病気ＩＤ、診療完了日等を取得するとともに、取得した病気ＩＤをキーとして病気情報テーブルからＣｉの病気（病気ＩＤ）の再発間隔又は再発時期（発症季節）を取得する。
【００５０】
診療記録管理装置１０は、Ｃｉの病気が季節性のものでない場合には（Ｓ２０４：Ｎ）、Ｃｉの診療完了日から再発間隔が経過した時期を再発予測時期として算出し（Ｓ２０５）、現在日時が再発予測時期からＺ月（例えば６月等）以内であるか否かを判定する（Ｓ２０６）。
【００５１】
ここで、診療記録管理装置１０は、Ｓ２０６において、現在日時が再発予測時期からＺ月（例えば６月等）以内である場合には（Ｓ２０６：Ｙ）、レコードＣｉの診療記録ＩＤをキーとして、診療記録テーブルの中から対応するレコードを特定し（Ｓ２０７）、特定したレコードにおいて圧縮されているデータを解凍する（Ｓ２０８）。診療記録管理装置１０は、レコードＣｉに対応する診療記録テーブルのレコードを復元すると、レコードＣｉを削除することとしてよい（Ｓ２０９）。
【００５２】
また、診療記録管理装置１０は、Ｓ２０４において、Ｃｉの病気が季節性のものである場合には（Ｓ２０４：Ｙ）、現在日時がＣｉの発症季節であるときには（Ｓ２１０：Ｙ）、Ｓ２０７に進む。
【００５３】
診療記録管理装置１０は、Ｓ２０６で現在日時が再発予測時期からＺ月（例えば６月等）以内でない場合（Ｓ２０６：Ｎ）、Ｓ２０９の後、又はＳ２１０で現在日時がＣｉの発症季節でない場合には（Ｓ２１０：Ｎ）、Ｓ２１１に進む。ここで、診療記録管理装置１０は、変数ｉがＭに達していない場合には（Ｓ２１１：Ｎ）、変数ｉをインクリメント（１加算）して（Ｓ２１２）、Ｓ２０３に戻り、変数ｉがＭに達している場合には（Ｓ２１１：Ｙ）、処理を終了する。
【００５４】
以上説明したレコードの解凍（復元）処理は予め定められたイベントが発生した場合や、予め定められた時間間隔おきに実行することとしてよい。
【００５５】
［２−３．病気の再発性解析処理］
次に、図８を参照しながら、診療記録管理装置１０により行われる病気の再発性解析処理の一例について説明する。
【００５６】
図８に示されるように、診療記録管理装置１０は、診療記録テーブルに含まれる病気（Ｄ１〜ＤＫ）のリストを取得し（Ｓ３０１）、変数ｉを１に初期化する（Ｓ３０２）。
【００５７】
次に、診療記録管理装置１０は、病気Ｄｉについて同一患者の出現パターンを解析し（Ｓ３０３）、同一患者に複数回再発している場合には、再発性ありと判定し（Ｓ３０４：Ｙ）、出現パターンに基づいて再発間隔を算出する（Ｓ３０５）。そして、診療記録管理装置１０は、病気Ｄｉについて、再発性フラグと再発間隔の情報を関連付けて病気情報テーブルに登録して、病気情報テーブルの情報を更新する（Ｓ３０６）。
【００５８】
診療記録管理装置１０は、Ｓ３０６の後、又はＳ３０４において再発性無しの場合には（Ｓ３０４：Ｎ）、予め定められた周期期間（例えば一年間）における病気Ｄｉについての出現パターンを解析し（Ｓ３０７）、季節による発症頻度に偏りがある場合には、病気Ｄｉには季節性があると判定し（Ｓ３０８：Ｙ）、発症頻度が高い季節を発症季節として特定する（Ｓ３０９）。そして、診療記録管理装置１０は、病気Ｄｉについて、再発性フラグと再発時期（発症季節）の情報を関連付けて病気情報テーブルに登録して、病気情報テーブルの情報を更新する（Ｓ３１０）。
【００５９】
診療記録管理装置１０は、Ｓ３１０の後、又はＳ３０８において季節性無しの場合には（Ｓ３０８：Ｎ）、Ｓ３１１に進む。ここで、診療記録管理装置１０は、変数ｉがＫに達していない場合には（Ｓ３１１：Ｎ）、変数ｉをインクリメント（１加算）して（Ｓ３１２）、Ｓ３０３に戻り、変数ｉがＫに達している場合には（Ｓ３１１：Ｙ）、処理を終了する。
【００６０】
以上説明した病気の再発性解析処理は予め定められたイベントが発生した場合や、予め定められた時間間隔おきに実行することとしてよい。
【００６１】
以上説明した本実施形態に係る診療記録管理装置１０では、再発性のある病気に関する診療記録であって、利用状態にない診療記録についてはデータを圧縮して保管することでデータ量を削減することが可能となるとともに、再発時期に応じてデータが復元されることで、必要とされる診療記録にアクセスできないことは回避できる。
【００６２】
本発明は上記の実施形態に限定されるものではなく、例えば病気情報テーブルは予め与えられていることとしても構わない。また、本実施形態では、診療記録管理装置１０が、診療情報記憶部１１、圧縮情報記憶部１２、病気情報記憶部１３等のデータベースを保持する例について説明したが、これらのデータベースは診療記録管理装置１０とは異なるデータベースサーバが保持し、診療記録管理装置１０が該データベースサーバにアクセスしてこれらのデータベースの情報を利用することとしてもよい。
【符号の説明】
【００６３】
１０  診療記録管理装置、１１  診療情報記憶部、１２  圧縮情報記憶部、１３  病気情報記憶部、１４  診療情報管理部、１５  削除判定部、１６  圧縮判定部、１７  圧縮部、１８  解凍判定部、１９  解凍部、２０  再発性解析部。
【図１】
2014203284.tif 000003
【図２】
2014203284.tif 000004
【図３】
2014203284.tif 000005
【図４】
2014203284.tif 000006
【図５】
2014203284.tif 000007
【図６】
2014203284.tif 000008
【図７】
2014203284.tif 000009
【図８】
2014203284.tif 000010